(57)【要約】      （修正有）【課題】コスト高及び装置の大型化を招くことなく、機器内部に設けられたサーモパイルアレイセンサーにより広範囲の温度測定を可能にする電子機器とそれを用いた画像形成装置を提供する。【解決手段】画像形成装置は２次元のアレイ状に配置された複数のサーモパイル素子を有し、温度検出面を縦横複数の領域に分割して各サーモパイル素子が各領域の温度を検出するように構成されたサーモパイルアレイセンサー８０と、サーモパイルアレイセンサー８０の視野角θ外にある被測定対象から放射される赤外線Ｉｒを反射させて温度検出面の所定領域に入射させるように角度調整された少なくとも一つの鏡Ｍ１１，Ｍ１２，Ｍ２１，Ｍ２２と、複数のサーモパイル素子のそれぞれから出力される温度検出信号を受信して温度を検出する温度検出部とを備え、サーモパイルアレイセンサー８０及び鏡Ｍ１１，Ｍ１２，Ｍ２１，Ｍ２２は装置内部に設けられる。【選択図】図４
2015031522.tif 000002
【特許請求の範囲】
【請求項１】
２次元のアレイ状に配置された複数のサーモパイル素子を有し、温度検出面を縦横複数の領域に分割して各サーモパイル素子が各領域の温度に対応する温度検出信号を出力するサーモパイルアレイセンサーと、
前記サーモパイルアレイセンサーの視野角外にある被測定対象位置から放射される赤外線を反射させて前記温度検出面に入射させる角度に調整された反射部材と、
前記複数のサーモパイル素子のそれぞれから出力される前記温度検出信号に基づいて温度を検出する温度検出部とを備え、
前記サーモパイルアレイセンサー及び前記反射部材が機器内部に設けられている電子機器。
【請求項２】
前記反射部材が鏡である請求項１に記載の電子機器。
【請求項３】
前記反射部材が複数設けられ、各反射部材は、前記サーモパイルアレイセンサーの視野角外にある被測定対象位置をそれぞれに有し、被測定対象位置から放射される赤外線を反射させて入射させる前記予め定められた領域が、当該反射部材及び被測定対象位置毎に異なる設定とされている請求項１又は請求項２に記載の電子機器。
【請求項４】
前記反射部材は、機器外部からの赤外線を反射させて前記温度検出面の前記予め定められた領域に入射させる凸面鏡である請求項２に記載の電子機器。
【請求項５】
請求項３に記載の電子機器であって、
画像データに基づいて生成されたトナー像を記録媒体上に画像形成する画像形成部と、
前記記録媒体上のトナー像を熱ローラー及び圧ローラーにより当該記録媒体に定着させる定着部とを更に備え、
前記各反射部材は、前記定着部における前記熱ローラーの回転軸方向における各位置から放射される赤外線を反射させて、対応する前記予め定められた領域に入射させる画像形成装置。
【発明の詳細な説明】
【技術分野】
【０００１】
本発明は、電子機器及び画像形成装置に関し、特に、サーモパイルセンサーを用いた効率的な温度監視の技術に関する。
【背景技術】
【０００２】
画像形成装置等の電子機器において、定着部を一定温度以上に保つことにより、ユーザーからの使用要求から一定時間内に印刷動作を開始することが可能である。しかし、このために画像形成プロセスの最終段階である定着部が最も電力を消費しており、省電力化の意識が高まる今日、定着部の消費電力の見直しが積極的に行われている。その一つの方法として、焦電型赤外線センサーを用いた人体検知機能を搭載する技術がある。
【０００３】
人体検知機能を利用して「非検知」で装置をReadyモードからSleepモードへ移行させることにより、電源の切り忘れを防ぐことができ電力を削減することができる。その際、Sleepモードでは一般的にディスプレイ（表示部）が消灯状態になるため、ユーザーの利便性を考慮して、人体検知機能の「検知」で表示部を点灯する機構が用いられている。このように、上記制御は一例であるが、焦電型赤外線センサーを始めサーモパイルセンサー等の低消費電力で検知領域が広い特徴を有した赤外線センサーを用いた人体検知が取り入れられている。サーモパイル素子を２次元のアレイ状に配置することでサーモパイルアレイセンサーを構成することができ、サーモパイルアレイセンサーは、被測定対象の２次元の熱分布を測定することができる。
【０００４】
例えば、下記特許文献１では、サーモパイルセンサーを用いた人体検知技術について記載されている。当該人体検出装置は、人体からの放射熱をサーモパイルにより検出し、サーモパイルからの直流検出出力により所定の負荷を駆動し、人体の存在を検出する。
【先行技術文献】
【特許文献】
【０００５】
【特許文献１】特開平１−６６５８８号公報
【発明の概要】
【発明が解決しようとする課題】
【０００６】
しかしながら、サーモパイルアレイセンサーの視野角は比較的狭いため、測定距離が近くなるほど測定可能範囲が狭くなる。このため、例えば、画像形成装置の機内にサーモパイルアレイセンサーを設けた場合、機内の広範囲に亘る温度測定が困難となる。サーモパイルアレイセンサーにより広範囲に亘って温度測定を行うには、複数のサーモパイルセンサーが必要になり、コスト高及び装置の大型化を招く。
【０００７】
本発明は、上記の問題を解決するためになされたもので、コスト高及び装置の大型化を招くことなく、機器内部に設けられたサーモパイルアレイセンサーにより広範囲の温度測定を可能にすることを目的とする。
【課題を解決するための手段】
【０００８】
本発明の一局面に係る電子機器は、２次元のアレイ状に配置された複数のサーモパイル素子を有し、温度検出面を縦横複数の領域に分割して各サーモパイル素子が各領域の温度に対応する温度検出信号を出力するサーモパイルアレイセンサーと、前記サーモパイルアレイセンサーの視野角外にある被測定対象位置から放射される赤外線を反射させて前記温度検出面に入射させる角度に調整された反射部材と、前記複数のサーモパイル素子のそれぞれから出力される前記温度検出信号に基づいて温度を検出する温度検出部とを備え、前記サーモパイルアレイセンサー及び前記反射部材が機器内部に設けられている。
【発明の効果】
【０００９】
本発明によれば、コスト高及び装置の大型化を招くことなく、機器内部に設けられたサーモパイルアレイセンサーの視野角を実質的に広げて広範囲の温度測定が可能になる。
【図面の簡単な説明】
【００１０】
【図１】本発明の一実施形態に係る画像形成装置の構造を示す正面断面図である。
【図２】画像成形装置の主要内部構成を概略的に示す機能ブロック図である。
【図３】一例に係るサーモパイルアレイセンサーの概略構成を示す図である。
【図４】サーモパイルアレイセンサーで熱ローラーの回転軸方向における各位置の温度を検出する構成を示す図である。
【図５】熱ローラーの温度を検出する場合のサーモパイルアレイセンサーの温度検出面の温度検出領域の割り当て例を示す図である。
【図６】サーモパイルアレイセンサーで機内と機外の温度を検出するようにした例を示す図である。
【図７】機内と機外の温度を検出する場合のサーモパイルアレイセンサーの温度検出面の温度検出領域の割り当て例を示す図である。
【発明を実施するための形態】
【００１１】
以下、本発明の一実施形態に係る電子機器及び画像形成装置について図面を参照して説明する。図１は、本発明の一実施形態に係る画像形成装置の構造を示す正面断面図である。
【００１２】
本開示の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１３】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１４】
画像形成装置１が画像形成動作を行う場合は、上記原稿読取動作により生成された画像データ又は内蔵ＨＤＤに記憶されている画像データ等に基づいて、画像形成部１２が、給紙部１４から給紙される記録媒体としての記録紙Ｐにトナー像を形成する。画像形成部１２の画像形成ユニット１２Ｍ、１２Ｃ、１２Ｙ、及び１２Ｂｋは、感光体ドラム１２１と、帯電装置１２３と、露光装置１２４と、現像装置１２２と、１次転写ローラー１２６とをそれぞれ備えている。
【００１５】
画像形成ユニット１２Ｍ、１２Ｃ、１２Ｙ、及び１２Ｂｋの各現像装置１２２は、静電潜像現像用のトナーを収容している。現像装置１２２は、当該トナーを、上記帯電装置１２３による帯電及び上記露光装置１２４による露光が完了した感光体ドラム１２１表面に供給する。
【００１６】
カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、それぞれに、画像データを構成するそれぞれの色成分からなる画像に基づいて、帯電、露光及び現像の工程により感光体ドラム１２１上にトナー像を形成し、トナー像を１次転写ローラー１２６により、駆動ローラー１２５ａ及び従動ローラー１２５ｂに張架されている中間転写ベルト（転写ベルト）１２５上に転写させる。
【００１７】
なお、中間転写ベルト１２５、１次転写ローラー１２６、駆動ローラー１２５ａ、及び従動ローラー１２５ｂは、中間転写ユニット５０に実装されている。中間転写ベルト１２５は、その外周面にトナー像が転写される像担持面が設定され、感光体ドラム１２１の周面に当接した状態で駆動ローラー１２５ａによって駆動される。中間転写ベルト１２５は、各感光体ドラム１２１と同期しながら、駆動ローラー１２５ａと従動ローラー１２５ｂとの間を無端走行する。
【００１８】
中間転写ベルト１２５上に転写される各色のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を熱ローラー及び圧ローラーの熱圧着により記録紙Ｐに定着させる。定着処理の完了したカラー画像形成済みの記録紙Ｐは、排出トレイ１５１に排出される。
【００１９】
装置本体１１の内部に、サーモパイルアレイセンサー８０と図示しない少なくとも一つの鏡（反射部材の一例）が設けられている。サーモパイルアレイセンサー８０は、画像形成装置１において温度監視が必要な部材の温度を非接触で検出するものであり、図１の例では、定着部１３の近傍に設けられている。鏡は、サーモパイルアレイセンサー８０の視野角外にある被測定対象から放射される赤外線を反射させてサーモパイルアレイセンサー８０の温度検出面の予め定められた領域に入射させるためのものである。
【００２０】
次に、画像形成装置１の構成を説明する。図２は画像形成装置１の主要内部構成を示す機能ブロック図である。
【００２１】
画像形成装置１は、制御ユニット１０を備える。制御ユニット１０は、ＣＰＵ(Central Processing Unit)、ＲＡＭ、ＲＯＭ及び専用のハードウェア回路等から構成され、画像形成装置１の全体的な動作制御を司る。
【００２２】
原稿読取部５は、制御ユニット１０による制御の下、光照射部及びＣＣＤセンサー等を有する上記の読取機構１６３を備える。原稿読取部５は、光照射部により原稿を照射し、その反射光をＣＣＤセンサーで受光することにより、原稿から画像を読み取る。
【００２３】
画像処理部３１は、原稿読取部５で読み取られた画像の画像データを必要に応じて画像処理する。例えば、画像処理部３１は、原稿読取部５により読み取られた画像が画像形成部１２により画像形成された後の品質を向上させるために、シェーディング補正等の予め定められた画像処理を行う。
【００２４】
画像メモリー３２は、原稿読取部５による読取で得られた原稿画像のデータを一時的に記憶したり、画像形成部１２のプリント対象となるデータを一時的に保存する領域である。
【００２５】
画像形成部１２は、原稿読取部５で読み取られた印刷データ、ネットワーク接続されたコンピューター２００から受信した印刷データ等の画像形成を行う。
【００２６】
操作部４７は、画像形成装置１が実行可能な各種動作及び処理について操作者からの指示を受け付ける。操作部４７は、液晶表示器でできたタッチパネル式の表示部４７３を備える。
【００２７】
表示部４７３は、画像形成装置１が通常動作モードにあるときに、操作画面、プレビュー画面、印刷ジョブ状況の確認画面等の各種表示をする。一方、表示部４７３は、画像形成装置１がスリープモードにあるときには消灯する。
【００２８】
ファクシミリ通信部７１は、図略の符号化／復号化部、変復調部及びＮＣＵ（Network Control Unit）を備え、公衆電話回線網を用いてのファクシミリの送信を行うものである。
【００２９】
ネットワークインターフェイス部９１は、ＬＡＮボード等の通信モジュールから構成され、当該ネットワークインターフェイス部９１に接続されたＬＡＮ等を介して、ローカルエリア内のコンピューター２００等と種々のデータの送受信を行う。
【００３０】
ＨＤＤ９２は、原稿読取部５によって読み取られた原稿画像等を記憶する大容量の記憶装置である。
【００３１】
サーモパイルアレイセンサー８０は、２次元のアレイ状に配置された複数のサーモパイル素子を有し、温度検出面を縦横複数の領域に分割して各サーモパイル素子が各領域の温度に対応する温度検出信号を出力する。
【００３２】
駆動モーター７０は、画像形成部１２の搬送ローラー対１９等に回転駆動力を付与する駆動源である。
【００３３】
制御ユニット１０は、制御部１００と、温度検出部１０１とを備えている。
【００３４】
制御部１００は、画像形成装置１の動作制御を全体的に司る。制御部１００は、原稿読取部５、原稿給送部６、画像処理部３１、画像メモリー３２、画像形成部１２、操作部４７、ファクシミリ通信部７１、ネットワークインターフェイス部９１、ＨＤＤ（ハードディスクドライブ）９２等と接続され、これら各部の駆動制御を行う。
【００３５】
温度検出部１０１は、サーモパイルアレイセンサー８０における複数のサーモパイル素子８１のそれぞれから出力される温度検出信号を受信し、当該温度検出信号に基づいて温度を算出する。例えば、温度検出部１０１は、温度検出信号の示す値と、係数とを用いて温度を算出する、又は温度検出信号の示す値と温度との対応関係を示すテーブルを有して、当該テーブルから温度検出信号の示す値に対応する温度を読み出すことにより温度を検出する。
【００３６】
また、温度検出部１０１は、サーモパイルアレイセンサー８０の温度検出面における予め定められた領域毎に、サーモパイルアレイセンサー８０から上記温度検出信号を受信する。すなわち、温度検出部１０１は、受信した温度検出信号が温度検出面におけるいずれの領域に属するものであるかを識別する機能を備える。温度検出部１０１は、温度検出面で区分された予め定められた領域毎に、サーモパイルアレイセンサー８０から受信した温度検出信号に基づいて温度を検出することで、当該各領域に対応付けられているサーモパイルアレイセンサー８０の被測定対象位置の温度を検出する。
【００３７】
図３は、一例に係るサーモパイルアレイセンサー８０の概略構成を示す図である。サーモパイルアレイセンサー８０は、２次元のアレイ状に配置された複数のサーモパイル素子８１を備えている。図３の例では、縦８×横８の計６４個のサーモパイル素子８１がアレイ状に配置されている。アレイ状に配置されたサーモパイル素子８１には、図示しない光学系や赤外線透過フィルターを経由して赤外線が入射される。各サーモパイル素子８１は、サーモパイルアレイセンサー８０の温度検出面を縦横複数の領域（図３の場合、縦８×横８の６４領域）に分割して各領域の温度を検出し、検出した温度に応じた電気信号を温度検出信号として出力する。
【００３８】
図４は、サーモパイルアレイセンサー８０で定着部１３における熱ローラー１３Ａの両端温度を検出する構成を示す図である。サーモパイルアレイセンサー８０は、熱ローラー１３Ａの中央近傍に、温度検出面を熱ローラー１３Ａに向けて配置されている。
【００３９】
サーモパイルアレイセンサー８０の視野角θは、垂直及び水平方向ともにおよそ３０°前後であり、温度検出面は、前方約１０ｃｍにおいておよそ５〜６ｃｍ四方の正方形である。また、温度検出面の分解能は、およそ３〜４°であり、各サーモパイル素子８１が温度を検出する各領域は、前方約１０ｃｍにおいておよそ６〜７ｍｍ四方の正方形である。このように、サーモパイルアレイセンサー８０の視野角θが比較的狭いため、１個のサーモパイルアレイセンサー８０で熱ローラー１３Ａの両端の温度を同時に検出することが困難である。そこで、鏡Ｍ１１，Ｍ１２，Ｍ２１，Ｍ２２をそれぞれ角度調整してサーモパイルアレイセンサー８０周辺の適所に配置し、熱ローラー１３Ａの両端から放射される赤外線Ｉｒを、サーモパイルアレイセンサー８０の視野角θ内に入射させる構成を採る。
【００４０】
図４に示す構成では、サーモパイルアレイセンサー８０は、熱ローラー１３Ａの回転軸方向の中央位置に配設されている。鏡Ｍ１１は、熱ローラー１３Ａの一端部から放射される赤外線Ｉｒを受けることが可能な位置、すなわち、熱ローラー１３Ａの当該一端部に対向する近傍位置に配置される。鏡Ｍ１２は、鏡Ｍ１１の配置位置から熱ローラー１３Ａの回転軸方向にサーモパイルアレイセンサー８０の近傍位置に移動した位置であって、サーモパイルアレイセンサー８０の温度検出面の前方となる位置に配置される。鏡Ｍ１１は、その反射面が、熱ローラー１３Ａの上記一端部から放射される赤外線Ｉｒを鏡Ｍ１２に向けて反射させる角度に設定されている。鏡Ｍ１２は、その反射面が、鏡Ｍ１１により反射されてきた当該赤外線Ｉｒをサーモパイルアレイセンサー８０の温度検出面に反射させる角度に設定されている。
【００４１】
同様に、鏡Ｍ２１は、熱ローラー１３Ａの他端部から放射される赤外線Ｉｒを受けることが可能な位置に配置され、熱ローラー１３Ａの上記他端部から放射される赤外線Ｉｒを鏡Ｍ２２に向けて反射させる。鏡Ｍ２２は、鏡Ｍ２１の配置位置から熱ローラー１３Ａの回転軸方向にサーモパイルアレイセンサー８０の近傍位置に移動した位置に配置され、鏡Ｍ２１により反射されてきた当該赤外線Ｉｒをサーモパイルアレイセンサー８０の温度検出面に反射させる。
【００４２】
これにより、鏡Ｍ１１及び鏡Ｍ１２の組と、鏡Ｍ２１及び鏡Ｍ２２の組は、熱ローラー１２Ａの回転軸方向においてそれぞれに割り当てられた位置から放射される赤外線Ｉｒをサーモパイルアレイセンサー８０の温度検出面に入射させる。なお、特に図示しないが、熱ローラー１２Ａの回転軸方向における各位置に、これらと同様の構成からなる鏡の組を配設することによって、当該回転軸方向における各位置で放射される赤外線Ｉｒをサーモパイルアレイセンサー８０の温度検出面に入射可能である。
【００４３】
続いて、上記のように熱ローラー１３Ａの回転軸方向における各位置の温度を検出する場合における、サーモパイルアレイセンサー８０が備える温度検出面における温度検出領域の割り当てを説明する。図５は、熱ローラー１３Ａの回転軸方向における各位置の温度を検出する場合のサーモパイルアレイセンサー８０の温度検出領域の割り当て例を示す図である。
【００４４】
例えば、サーモパイルアレイセンサー８０において、縦４×横４の計１６個のサーモパイル素子８１の温度検出領域８０Ａに、鏡Ｍ１１，Ｍ１２の組によって反射させた熱ローラー１３Ａの一端からの赤外線Ｉｒを入射させ、縦４×横４の計１６個の別のサーモパイル素子８１の温度検出領域８０Ｂに、鏡Ｍ２１，Ｍ２２の組によって反射させた熱ローラー１３Ａの他端からの赤外線Ｉｒを入射させる。すなわち、鏡Ｍ１２，Ｍ２２は、対応するそれぞれの当該温度検出領域に上記赤外線Ｉｒを入射させる角度に設定されている。
【００４５】
なお、サーモパイルアレイセンサー８０の残りの温度検出領域に、熱ローラー１２Ａの回転軸方向における他の位置に配設した異なる鏡の組（鏡Ｍ１１，Ｍ１２の組及び鏡Ｍ２１，Ｍ２２の組と同様に構成）からの赤外線Ｉｒを入射させるようにしてもよい。また、当該鏡の組を用いずに、サーモパイルアレイセンサー８０の残りの温度検出領域に、熱ローラー１３Ａの中央部から放射される赤外線Ｉｒを入射させるようにしてもよい。
【００４６】
これにより、温度検出部１０１が、サーモパイルアレイセンサー８０の温度検出面における領域毎に、サーモパイルアレイセンサー８０から受信した温度検出信号に基づいて温度を検出することで、１個のサーモパイルアレイセンサー８０を用いて、熱ローラー１３Ａの回転軸方向における各位置の温度を同時に検出することが可能になる。
【００４７】
なお、定着部１３に、熱ローラー１３Ａではなく熱ベルトが用いられている場合には、上記と同様にして、１個のサーモパイルアレイセンサー８０で熱ベルトの各位置の温度を検出することが可能である。
【００４８】
図６は、サーモパイルアレイセンサー８０で画像形成装置１の機内と機外の温度を検出する他の構成を示す図であり、装置本体１１を上面から見た模式図である。
【００４９】
この構成では、サーモパイルアレイセンサー８０は、装置本体１１の内部に設けられている。上述したように、サーモパイルアレイセンサー８０の視野角θが比較的狭いため、１個のサーモパイルアレイセンサー８０で画像形成装置１の機内と機外の温度を同時に検出することが困難である。そこで、凸面鏡Ｍ３０をサーモパイルアレイセンサー８０の正面に配置して、機内及び機外から放射される赤外線Ｉｒを、サーモパイルアレイセンサー８０の視野角θ内に入射させる。機内の赤外線Ｉｒは、凸面鏡Ｍ３０で反射してサーモパイルアレイセンサー８０の視野角θ内に入射する。機外の赤外線Ｉｒは、装置本体１１の前面に設けられた開口部１１０を通って、凸面鏡Ｍ３０で反射してサーモパイルアレイセンサー８０の視野角θ内に入射される。すなわち、凸面鏡３０は、サーモパイルアレイセンサー８０の温度検出面の前方であって、機内及び機外の両方から放射されてくる赤外線Ｉｒを、サーモパイルアレイセンサー８０の視野角θ内に向けて反射させることが可能な位置に配設される。
【００５０】
また、例えば、凸面鏡Ｍ３０を、画像形成装置１の操作部４７の前方位置であって、操作者Ｍが操作部４７を操作すると想定される予め定められた位置から放射される赤外線Ｉｒを受けることが可能な位置に配置することによって、サーモパイルアレイセンサー８０によって、画像形成装置１の機内温度と、画像形成装置１に接近する操作者Ｍの存在有無の検出とを可能にすることができる。
【００５１】
図７は、上記のようにして機内と機外の温度を検出する場合における、サーモパイルアレイセンサー８０の温度検出面における温度検出領域の割り当て例を示す図である。例えば、サーモパイルアレイセンサー８０において、温度検出面の半分に相当する３２個のサーモパイル素子８１の温度検出領域８０Ｃに、機内の赤外線Ｉｒを入射させ、残り半分である３２個のサーモパイル素子８１の温度検出領域８０Ｄに、機外の赤外線Ｉｒを入射させる。
【００５２】
これにより、温度検出領域８０Ｃ、８０Ｄ毎に、サーモパイルアレイセンサー８０から受信した温度検出信号に基づいて温度を検出することで、１個のサーモパイルアレイセンサー８０を用いて、画像形成装置１の機内と機外の温度を同時に検出することが可能になる。
【００５３】
以上、本発明の実施形態について説明したが、本発明は上記実施の形態の構成に限られず種々の変形が可能である。例えば、上記実施形態では、反射部材として鏡を用いる構成を例にして説明しているが、反射部材は、赤外線を反射させることが可能な素材からなるものであれば、鏡に限られず、他の素材を用いて作成された反射板等の反射部材であってもよい。
【００５４】
また、本発明に係る画像形成装置の一実施形態として複合機を用いて説明しているが、これは一例に過ぎず、例えば、プリンター、コピー機、ファクシミリ装置等の他の画像形成装置でもよいし、更には、他の電子機器であってもよい。
【００５５】
また、上記実施形態では、図１乃至図７を用いて上記実施形態により示した構成及び処理は、本発明の一実施形態に過ぎず、本発明を当該構成及び処理に限定する趣旨ではない。
【符号の説明】
【００５６】
１        画像形成装置
１２      画像形成部
１３      定着装置
８０      サーモパイルアレイセンサー
８１      サーモパイル素子
１０１    温度検出部
Ｍ１１    鏡
Ｍ１２    鏡
Ｍ２１    鏡
Ｍ２２    鏡
Ｍ３０    凸面鏡
θ        視野角
Ｉｒ      赤外線
【図１】
2015031522.tif 000003
【図２】
2015031522.tif 000004
【図３】
2015031522.tif 000005
【図４】
2015031522.tif 000006
【図５】
2015031522.tif 000007
【図６】
2015031522.tif 000008
【図７】
2015031522.tif 000009